(57)【要約】【課題】宝石を使用する装身具において、その機能性と自由性とデザイン性を高め、作業性も大幅に向上することができる装飾体を提供する。【解決手段】装飾体において、筒状か桶状の貴金属あるいは金属製の枠の中に宝石やその他の物質を入れ、宝石とその他の物質と枠との隙間に透明もしくは半透明の接着剤を必要量投入し、硬化させてから研磨を施して完成品となる、宝石の欠落の可能性のない、誰でも簡単に宝石が固定できるデザイン自由度の高い装飾体とその製造方法を提供する。【選択図】図１
2014050460.tif 000002
【特許請求の範囲】
【請求項１】
装飾体において、筒状か桶状の貴金属あるいは金属製の枠の中に宝石やその他の物質を入れ、宝石とその他の物質と枠との隙間に透明もしくは半透明の接着剤等の硬化剤を必要量投入し硬化させてなる装飾体とその製造方法。
【請求項２】
接着剤が透明であることを特徴とする請求項１に記載の装飾体とその製造方法。
【請求項３】
接着剤が半透明の着色が施された請求項１に記載の装飾体とその製造方法。
【請求項４】
接着材が硬化する樹脂である請求項１に記載の装飾体とその製造方法。
【請求項５】
接着剤が硬化するガラスである請求項1に記載の装飾体とその製造方法。
【請求項６】
宝石が天然及び人工である請求項１に記載の装飾体とその製造方法。
【請求項７】
宝石やその他の物質を固定する接着部材が紫外線硬化樹脂である請求項１に記載の装飾体とその製造方法。
【請求項８】
筒状の枠の一方が閉じているか、あるいは微細な孔が設けられている請求項１に記載の装飾体とその製造方法。
【発明の詳細な説明】
【技術分野】
【０００１】
この発明は宝石を使用するに装飾体おいて、その機能性と自由性とデザイン性を高め、作業性も大幅に向上することができる装飾体に関するものである。
【背景技術】
【０００２】
装身具において、ダイヤモンドなどの宝石を貴金属の枠に固定する場合、貴金属の枠に宝石を取り囲むように爪と称される棒形状を付帯させ、宝石を所定の位置に設置した後、棒形状部分を宝石側に曲げて倒し込み宝石を固定している。
【０００３】
しかし、棒形状を貴金属の枠に設置し宝石を固定するこの技法では、固定する宝石の数の数倍の棒形状を設置し、曲げていく必要があるため、加工時間が長時間になることや、固定した宝石が装身具の使用中に欠落してしまうという問題などがあった。
【０００４】
このことから、特許３３４１０８２のように、宝石を２枚の板状部分の空間に挟み込む技法などある。
【０００５】
しかしながら、特許３３４１０８２ではあらかじめ宝石を別の固定用個体に設置しておく必要があり、宝石の固定作業に多くの時間がかかってしまうという問題がある。
【先行技術文献】
【特許文献】
【０００６】
【特許文献１】特許３３４１０８２
【発明の概要】
【発明が解決しようとする課題】
【０００７】
この発明は前述した問題点を解決するものであり、宝石を使用する装飾体において、その機能性と自由性とデザイン性を高め、作業性も大幅に向上することができる装飾体とその製造方法に関するものである。
【課題を解決するための手段】
【０００８】
以上の課題を解決するため、この発明は、宝石を使用する装飾体において、筒状かもしくは桶状の貴金属枠、もしくは金属枠、そして透明な接着材や硬化剤から成り立っていて、前述の問題点を解決し、機能性と自由性とデザイン性を高めることができる装飾体であり、短時間で簡単に製造をすることができることを特徴とするものである。
【０００９】
この発明は、宝石を使用する装飾体において、宝石の設置と固定が容易で、自由なデザインの装飾体を簡単に製造できることを特徴とする。
【００１０】
この発明の装飾体の一部には、貴金属あるいは金属製の枠が用いられていて、その枠は筒状か桶状であり、透明もしくは半透明の接着材や硬化剤等によって宝石の全体か一部が固定されていることを特徴とする。
【発明の効果】
【００１１】
この発明によれば、宝石を使用する装飾体において、宝石の固定に多くの時間を費やす、宝石が欠落する、デザインの制限が生じるという問題点を取り除き、その機能性と自由性とデザイン性を高め、作業性も大幅に向上することができる装飾体の提供をすることが可能となった。
【図面の簡単な説明】
【００１２】
【図１】この発明の全体図である。
【図２】この発明の実施形態を示す図である。
【発明を実施するための形態】
【００１３】
図１は本発明の形態で、宝石を使用する装飾体である。
【００１４】
図１に示すように、宝石を使用する装飾体１０は、筒状もしくは桶状の貴金属枠１と、宝石２、接着剤３から形成されている。
【００１５】
宝石を使用する装飾体１０の枠１は貴金属製か金属製であるので、指輪やペンダントやイヤリング、ブローチ、ブレスレットなど全ての装身具を作ることができる。
【００１６】
装飾体１０の枠１は、一般的に使用されている素材なので、自由な形状で製作することができ、大きなや形状も自由に作ることができる。
【００１７】
装飾体１０に用いられる、接着剤３は透明であり、硬質であるため、宝石の見栄えを損なったり、割れたり、傷がついたりすることはなく、宝飾技術での鏡面研磨が容易である。
【００１８】
図２に示すように、装飾体１０は枠１と宝石２、そして接着剤３で形成されている。
【００１９】
図２のように、装飾体１０の枠は宝石を入れるために必要なスペースが設けられていて、
そこに必要数の宝石３を入れた後、枠１と宝石３とのスペースをすべて埋め尽くす量の接着剤を入れて硬化させた後、研磨等で形を整える。
【００２０】
接着剤は透明であるため、ダイヤモンドのような透明に近い宝石を設置しても宝石は十分に区別できる。
【００２１】
また、宝石にサイズの異なるものを使用して、ガラスと１部の宝石の後方部分に隙間ができても接着剤が隙間部分を埋めるので、サイズや形状の異なる宝石を同時に固定することができる。
【００２２】
枠１には宝石の代わりに、貴金属や金属のデザイン品、または接着剤によって変質しない素材の物質であれば、なんでも入れることができる。
【００２３】
画像２のように、表面を平らにするため、枠１の下に接着剤や硬化剤が貼りつかない固定板４を敷き、枠１の内側に宝石２を必要数敷きつめる。
【００２４】
枠１と宝石３の隙間をすべて埋め尽くすことのできる必要量の接着剤を入れて、硬化させる。
【００２５】
接着剤が硬化したのを確認した後、固定板４を取り外し、枠１からはみ出た余分な接着剤を研磨によって取り除き、出来上がった装飾体１０の接続管５に装身具を固定することによって完成品となる。
【００２６】
固定板４を平らなものではなく、球面形状を使用することもによって、形状を変えることもできる。
【００２７】
枠１に固定される宝石には、一般的に宝石を固定するのに用いられる爪と呼ばれる金属突起がないので、宝石の輝きを損なうことはなく、本来の輝きを得ることができるとともに、透明な接着剤３が周囲を覆っているので、宝石の欠落の心配はない。
【００２８】
また、枠１に宝石を密集させることによって、実際に使用している宝石よりも大きな宝石として見ることができる。
【００２９】
さらに、枠１に固定する宝石に様々な色のついた宝石を使用することによって、アレンジが楽しめ、文字や図形などを表現することもできる。
【００３０】
枠１と宝石２を固定する接着材は、紫外線硬化樹脂や硬化するガラス等の物質を用いても良い。
【００３１】
そして、枠１を裏表や、４角形など複数面とすることもできるので、複数面の宝石の色やデザインを楽しむこともできる。
【００３２】
このような工程を経て製造された装飾体１０は、石留めなどの工程を大幅に省くことが可能で、従来になかった斬新なデザインが展開できる機能的なものとなった。
【産業上の利用可能性】
【００３３】
この発明の装身具は、従来のような複雑で難しい宝石を留める工程がないので、製作時間を大幅に削減し、しかも宝石が欠落する心配のない、アレンジが容易で、文字や図形も自在に表現することのできるため、装身具市場に新たに付加価値の高い製品を提供できるようになった。
【符号の説明】
【００３４】
１  枠
２  宝石
３  接着剤
４  固定板
５  接続管
１０  装飾体
【図１】
2014050460.tif 000003
【図２】
2014050460.tif 000004